(57)【要約】【課題】  吹出口より送出された空気が吸込口から吸い込まれないように防止し、吹出口を塞ぐための付属部品の廃止及び据付作業工数の低減を目的とし、高効率の空気調和機を提供する。【解決手段】  天井板上方の空間に吊下され、天井板開口部を閉塞する化粧パネルを配置し、該化粧パネルの中央部に吸込口を設け、同吸込口の周囲四方向に吹出口を配置し、同吹出口に回動自在な風向板を有する天井埋込型空気調和機において、前記吹出口の近傍にヒンジ機構部を有するプレートを一体成形にて設け、前記ヒンジ機構部を有するプレートは曲面で形成され、前記吹出口の長手方向と同等以上の寸法であり、前記吹出口の両端に凹凸状のリブを有するストッパを設け、前記プレートのヒンジ機構部を屈曲させることにより、同プレートを任意の角度に固定保持させる。又、前記プレートにより前記吹出口を完全に塞ぐ。【選択図】  図２
2006090613.tif 000002
【特許請求の範囲】
【請求項１】
天井板上方の空間に吊下され、前記天井板開口部を閉塞する化粧パネルを配置し、該化粧パネルの中央部に吸込口を設け、同吸込口の周囲四方向に吹出口を配置し、同吹出口に回動自在な風向板を有する天井埋込型空気調和機において、前記吹出口の下部近傍にヒンジ機構部を有するプレートを一体成形にて設けたことを特徴とする空気調和機。
【請求項２】
請求項１において、ヒンジ機構部を有するプレートは曲面で形成され、前記ヒンジ機構部及びプレートは前記吹出口の長手方向と同等以上の寸法で構成されていることを特徴とする空気調和機。
【請求項３】
請求項１または２において、吹出口の両端に凹凸状のリブを有するストッパを設け、プレートのヒンジ機構部を屈曲させることにより、前記プレートを任意の角度で固定保持できることを特徴とする空気調和機。
【請求項４】
請求項１〜３のいずれか１項において、各々のプレートの先端には任意の間隔にて設けられた凸状のリブを有しており、対向する吹出口には凹状の溝部を設け、前記凸状のリブを勘合固定することで前記吹出口全体を塞ぐことが可能であることを特徴とする空気調和機。
【発明の詳細な説明】
【技術分野】
【０００１】
本発明は、天井埋込型空気調和機において、吸込口の周囲４方向に配置された吹出口の下部近傍に設けられたヒンジ機構部を有するプレートに関するものである。
【背景技術】
【０００２】
空気調和機の一例として、天井裏に梁から吊るして設置される天井埋込型の空気調和機が知られており、図１は従来のこの種の空気調和機を示す縦断面である。図１において、１は建物の梁、２は天井板、３は前記梁１と同天井板２との間に設置された空気調和機本体、４は前記梁１に固定されたアンカーボルト、５は前記天井板２の開口部と該空気調和機本体３の下部開口端を閉塞する化粧パネルである。前記化粧パネル５の中央部にはフィルター６を備えた吸込口７が設けられ、同吸込口７の周囲四方向に配置された風向板１２を有する吹出口１１があり、それらを連絡する通路にはファンモータ８、送風ファン９及び熱交換器１０が設置され、前記送風ファン９によって前記吸込口７から吸込まれた室内の空気が前記熱交換器１０で熱交換され、前記吹出口１１から風向板１２を介して室内に送出される構造となっている。
【０００３】
ここで前記吹出口１１から送出された冷風または温風が前記吸込口７に吸い込まれてしまうことにより、結果として冷房及び暖房運転時の空気調和の効率を低下させてしまうといった問題があった。
【０００４】
これらを改善するために特開平９−１０５５５０号公報に示すように、吹出口の下部に補助風向板を設けている場合もある。
【０００５】
又、顧客のニーズ及び据付位置の問題等のため、任意の吹出口１１を塞ぐことで前記吹出口１１を二ないし三方向に変更することが可能であるが、任意の部品を用いて塞ぐ必要があるため、結果として付属部品点数や据付作業工数のアップにつながっていた。
【０００６】
【特許文献１】特開平９−１０５５５０号公報
【発明の開示】
【発明が解決しようとする課題】
【０００７】
従来技術は、吹出口の下部に補助的な風向板を設けることで、前記吹出口から送出された空気が吸込口から吸込まれないように防止する構造となっていた。
【０００８】
しかしながら、前記補助的な風向板は任意の角度に調整することができず、吹出口に設けられた回動自在な風向板の設定角度によっては通風の抵抗となり、結果として送出される風量の低下につながる事についてはあまり考慮されていなかった。
【０００９】
本発明はこのような問題点を解消するためになされたもので、吹出口から送出された空気が吸込口から吸い込まれないよう防止した構造であり、高効率の空気調和機を提供することを目的とする。
【課題を解決するための手段】
【００１０】
本発明は上記の問題点を解決するためになされたものであり、天井板上方の空間に吊下され、前記天井板開口部を閉塞する化粧パネルを配置し、該化粧パネルの中央部に吸込口を設け、同吸込口の周囲四方向に吹出口を配置し、同吹出口に回動自在な風向板を有する天井埋込型空気調和機において、前記吹出口の下部近傍にヒンジ機構部を有するプレートを一体成形にて設けることで実現できる。
【００１１】
前記ヒンジ機構部を有するプレートは曲面で形成され、前記吹出口の長手方向と同等以上の寸法であることを特徴とし、前記吹出口の両端に凹凸状のストッパを設け、前記プレートのヒンジ機構部を屈曲させることにより、同プレートを任意の角度に固定することで実現できる。
【００１２】
各々の吹出口近傍に設けられたプレートの先端には任意の間隔にて設けられた凸状のリブを有しており、それに対向する吹出口には凹状の溝部を設け、前記凸状のリブを勘合固定することで前記吹出口を完全に塞ぐことにより実現できる。
【発明の効果】
【００１３】
本発明による天井埋込型空気調和機の構造であれば、吹出口より送出された空気が吸込口から吸い込まれないようになるため、高効率の空気調和機を提供することができる。
【００１４】
又、任意の吹出口を塞ぐ場合でも部品が不要となり、付属部品点数や据付作業工数の削減を図ることができる。
【発明を実施するための最良の形態】
【００１５】
本発明における一実施例を図２ないし図３を用いて説明する。
【００１６】
ここで図１は従来の一実施例を示す天井埋込型空気調和機の概略縦断面図である。
【００１７】
図に示すように１は建物の梁、２は天井板、３は前記梁１と同天井板２との間に設置された空気調和機本体、４は前記梁１に固定されたアンカーボルト、５は前記天井板２の開口部と前記空気調和機本体３の下部開口端を閉塞する化粧パネルである。前記化粧パネル５の中央部にはフィルター６を備えた吸込口７が設けてあり、同吸込口７の周囲四方向に配置された風向板１２を有する吹出口１１であり、それらを連絡する通路にはファンモータ８、送風ファン９及び熱交換器１０が設置され、前記送風ファン９によって前記吸込口７から吸い込まれた室内の空気が前記熱交換器１０で熱交換され、前記吹出口１１から風向板１２を介して室内に送出する構造となっている。
【００１８】
図２は本発明の一実施例である化粧パネルの吹出口近傍の概略構成を示す。
【００１９】
本実施例では図１に記載した従来の一実施例で用いられた部材と同一の部材については同じ符号を付して詳細な説明を省略する。
【００２０】
図に示すように化粧パネル５に設けられた吹出口１１の近傍にヒンジ機構部１３aを有するプレート１３が一体成形されている。ここで前記プレート１３は曲面で形成され、前記吹出口１１の長手方向と同等の寸法であり、同吹出口１１の両端に凹凸状のリブを有するストッパ５ａを設け、プレート１３のヒンジ機構部１３aを任意に屈曲させることにより、前記プレート１３の両端が該ストッパ５ａの凹凸状のリブによって固定され、任意の角度で固定保持することができる。
【００２１】
このようにプレート１３の角度を調整することにより、前記吹出口１１より送出された空気が吸込口７から吸い込まれないよう防止することができ、これにより、効率良く空気調和を行うことができる。
【００２２】
又、顧客のニーズ及び据付位置の問題等のため、前記吹出口１１を二ないし三方向に変更する場合、図３に示すように、各々のプレート１３の先端に任意の間隔で設けられた凸状のリブ１３bを、対向する吹出口１１の設けられた凹状の溝部１１aに勘合固定することで任意の吹出口１１を完全に塞ぐことができるため、前記吹出口１１を塞ぐための任意部品が不要となり、結果として付属部品点数や据付作業工数の削減を図ることができる。
【図面の簡単な説明】
【００２３】
【図１】従来の一実施例を示す天井埋込型空気調和機の概略縦断面図。
【図２】本発明の一実施例である化粧パネルの吹出口近傍の概略断面図。
【図３】本発明の一実施例である吹出口を塞いだ状態の概略断面図。
【符号の説明】
【００２４】
１…建物の梁、２…天井板、３…空気調和機本体、４…アンカーボルト、５…化粧パネル、６…フィルター、７…吸込口、８…ファンモータ、９…送風ファン、１０…熱交換器、１１…吹出口、１１ａ…凹状溝部、１２…風向板、１３…プレート、１３ａ…ヒンジ機構部、１３ｂ…凸状リブ。
【図１】
2006090613.tif 000003
【図２】
2006090613.tif 000004
【図３】
2006090613.tif 000005